(57)【要約】【課題】フード内部を洗浄する時に下開口部から洗浄液が流れ落ちることをカバー体で防止し、このカバー体の端面部分に調理時に発生した油煙等が接触して汚れないようにできる洗浄装置付きレンジフードとする。【解決手段】フード１の下開口部３を閉じる前向き位置と開放する下向き位置に亘って上下回動自在なカバー体７と、下向き位置のカバー体７が収納する凹陥部９を有する収納体８を設け、フード１内部の洗浄時にはカバー体７で下開口部３を閉じて洗浄液が流れ落ちることをカバー体７で防止し、調理時にはカバー体７を下向き位置として収納体７の凹陥部９内に収納してカバー体７の端面部分に調理時に発生した油煙等が接触して汚れないようにできる。【選択図】図３
2005221114.tif 000002
【特許請求の範囲】
【請求項１】
フード１の内部に設けた洗浄液噴射部５と、このフード１の下開口部３を開放する下向き位置と閉じる前向き位置に上下回動するカバー体７を備え、このカバー体７を前向き位置としてフード１の内部に洗浄液を噴射して洗浄するように構成した洗浄装置付きレンジフードにおいて、
前記フード１の後部寄り下部に収納体８を設け、この収納体８は、その前面に、前記下向き位置のカバー体７が収納される凹陥部９を有することを特徴とする洗浄装置付きレンジフード。
【請求項２】
カバー体は、基板６０の左右両側縁に左右の側面立上り片６１、前端縁に前面立上り片６３をそれぞれ備えた形態で、
この側面立上り片６１、前面立上り片６３が収納体８の凹陥部９内に収納されるようにした請求項１記載の洗浄装置付きレンジフード。
【請求項３】
フード１を下面が開口したほぼ箱形状とし、このフード１の後部寄り下部と連続して上面が開口したほぼ箱形状の収容体８を一体的に設け、
この収納体８の前面に凹陥部９を形成し、
前記収納体８の空洞部内に、洗浄液供給部６を設け、この洗浄液供給部６から洗浄液噴射部５に洗浄液を供給するようにした請求項１又は２記載の洗浄装置付きレンジフード。
【発明の詳細な説明】
【技術分野】
【０００１】
本発明は、調理時に発生する湯気、油分を含む空気等をフード内に捕集し、送風機で屋外に排出するレンジフードにおいて、そのフード内部を洗浄できるようにした洗浄装置付きレンジフードに関する。
【背景技術】
【０００２】
特許文献１に洗浄装置付きレンジフードが開示されている。
この洗浄装置付きレンジフードは、調理時に発生する湯気、油分を含む空気等を捕集する下開口部を有するフードと、そのフード内部に洗浄液を噴射する洗浄液噴射部と、前記フードの下開口部を開閉するカバー体を備え、レンジフード運転時にはカバー体を下方に回動して開放位置としてフードの下開口部を開放する。洗浄時にはカバー体を上方に回動して閉じ位置としてフードの下開口部を閉じ、その状態で洗浄液噴射部から洗浄液をフード内部に噴射してフード内部を洗浄する。
【０００３】
【特許文献１】特開２００２−３７２２７５号公報
【発明の開示】
【発明が解決しようとする課題】
【０００４】
前述の洗浄装置付きレンジフードであれば、フード内部を洗浄する際にフードの下開口部から洗浄液が流れ落ちることをカバー体で防止できる。
また、開放位置のカバー体の表面には調理時に発生した油分を含む空気等が接触して汚れるが、そのカバー体を閉じ位置とした時に表面がフード内部と対向するので、そのカバー体の表面を洗浄液によって洗浄することが可能である。
しかしながら、開放位置のカバー体は、その表面のみではなく、その左右端面、下端面などの端面部分にも調理時に発生した油分を含む空気等が接触して汚れ、この端面部分は洗浄液によって洗浄することが不可能である。
このために、カバー体を開放位置とした場合に、その汚れた端面部分が見え、使用者に不快感を与えるから好ましくない。
【０００５】
特に、フードの下開口部が大きい場合などにはカバー体が大型になり、自重が増すことによってカバー体自体に強度が必要になる。
このような場合、カバー体の端縁に立上り片を一体的に形成して補強リブの役目を果たすようにしてカバー体自体の強度を増加することが考えられる。
しかしながら、前述のようにするとカバー体の端面部分の厚さ方向寸法が増大し、調理時に発生した油分を含む空気（以下油煙等という）が接触する部分の面積が増加し、汚れがひどくなる。
しかも、本来汚したくない裏面に油煙等の回り込みが発生し、その裏面が汚れる。
カバー体の裏面はフード内部の洗浄時に下向きとなり、使用者からはっきりと目視されるので、カバー体の裏面が汚れていると洗浄時に見栄えが悪い。
【０００６】
本発明の目的は、フード内部の洗浄時に洗浄液がフードの下開口部から流れ落ちることをカバー体で防止でき、調理時にはカバー体の端面部分が油煙等で汚れることがないようにした洗浄装置付きレンジフードを提供することである。
【課題を解決するための手段】
【０００７】
第１の発明は、フード１の内部に設けた洗浄液噴射部５と、このフード１の下開口部３を開放する下向き位置と閉じる前向き位置に上下回動するカバー体７を備え、このカバー体７を前向き位置としてフード１の内部に洗浄液を噴射して洗浄するように構成した洗浄装置付きレンジフードにおいて、
前記フード１の後部寄り下部に収納体８を設け、この収納体８は、その前面に、前記下向き位置のカバー体７が収納される凹陥部９を有することを特徴とする洗浄装置付きレンジフードである。
【０００８】
第２の発明は、第１の発明において、カバー体は、基板６０の左右両側縁に左右の側面立上り片６１、前端縁に前面立上り片６３をそれぞれ備えた形態で、
この側面立上り片６１、前面立上り片６３が収納体８の凹陥部９内に収納されるようにした洗浄装置付きレンジフードである。
【０００９】
である
第３の発明は、第１又は第２の発明において、フード１を下面が開口したほぼ箱形状とし、このフード１の後部寄り下部と連続して上面が開口したほぼ箱固形状の収容体８を一体的に設け、
この収納体８の前面に凹陥部９を形成し、
前記収納体８の空洞部内に、洗浄液供給部６を設け、この洗浄液供給部６から洗浄液噴射部５に洗浄液を供給するようにした洗浄装置付きレンジフードである。
【発明の効果】
【００１０】
請求項１に係る発明によれば、カバー体７を前向き位置としてフード１の下開口部３を閉じた状態で洗浄液噴射部５から洗浄液を噴射して洗浄することで、その洗浄液がフード１の下開口部３から流れ落ちることをカバー体７で防止できる。
また、調理時にはカバー体７を下向き位置として収納体８の凹陥部９内に収納することで、そのカバー体７の端面部分に油煙等が接触することがないから、調理時にカバー体７の端面部分が油煙等で汚れることがない。
【００１１】
請求項２に係る発明によれば、側面立上り片６１、前面立上り片６３でカバー体７自体の強度が増加し、そのカバー体７を大型にできるので、フード１の下開口部３が大きいレンジフードにも適用できる。
また、各立上り片６１，６３は収納体８の凹陥部９内に収納されて前面に突出しないので、その各立上り片６１，６３から裏面に油煙等が回り込むことがない。
しかも、左右の側面立上り片６１、前面立上り片６３によって洗浄液が左右側方、前方にこぼれ落ちることを防止できる。
【００１２】
請求項３に係る発明によれば、フード１と収容体８が一体であるから、レンジフードの設置作業が容易である。
また、洗浄液供給部６が収納体８の前面によって覆われ、目視されないから見栄えが良いレンジフードである。
【発明を実施するための最良の形態】
【００１３】
図１と図２に示すようにフード１と送風装置２を備え、この送風装置２を駆動することで調理時に発生する湯気、油分を含む空気等をフード１の下開口部３からフード１内に捕集し、フード１の上開口部４から送風装置２で吸い込み、図示しないダクト等を経て屋外に排出するレンジフードを構成している。
前記フード１の内部に設けた洗浄液噴射部５と、この洗浄液噴射部５に洗浄液を供給する洗浄液供給部６でフード１の内部に洗浄液を噴射して洗浄する洗浄装置を構成している。
【００１４】
前記フード１の下開口部３はカバー体７で開閉される。
このカバー体７を図２に示すようにフード１の下開口部３を開放する下向き位置と、図３に示すようにフード１の下開口部３を閉じる略水平の前向き位置とに亘って上下回動自在とする。
前記フード１の後部寄り下部と連続して収納体８が設けてある。この収容体８の前面にはカバー体７を収納する凹陥部９を有する。
前記カバー体７を図２に示すように下向き位置とすると空気がフード１内にスムーズに捕集されると共に、収納体８の凹陥部９内に収納され、カバー体７は収納体８の前面から前方に突出しないようになる。
これにより、油煙等がカバー体７の左右端面、下端面、つまりは端面部分に接触することがないので、その端面部分が油煙等で汚れることがないし、裏面に油煙等が回り込むことがない。
【００１５】
前記カバー体７を図３に示すように前向き位置に回動するとフード１の下開口部３が閉じられ、前述のようにフード１内部に噴射された洗浄液が下開口部３から流れ落ちないようにする。なお、フード１の下開口部３を閉じるとは、完全に閉じる場合と、下開口部３の開口縁とカバー体７との間に若干の隙間があり、送風装置２を駆動することでフード１内部に空気が流入する場合を含むものである。
つまり、フード１の下開口部３を閉じるとは、洗浄液が下開口部３から流れ落ちないようにすることである。
【００１６】
次に、各部材の具体形態の一例を説明するが、このものに限ることはない。
前記フード１は外側フード１０と内側フード１１を備え、その外側フード１０の後部寄り下部に前記収納体８が一体的に設けてある。
つまり、前記外側フード１０は、下面が開口したほぼ箱形状（好ましくは偏平な箱形状）で、その外側フード１０の後寄り部分と連続した上面が開口したほぼ箱形状（好ましくは偏平な箱形状）の収容体８でほぼ鉤形状である。
なお、外側フード１０と内側フード１１を一体としても良い。
つまり、フード１を下面が開口したほぼ箱形状とし、このフード１の後部寄り下部と連続して上面が開口したほぼ箱形状の収納体８を一体的に設ければ良い。
【００１７】
前記内側フード１１は下面が開口したほぼ箱形状（好ましくは偏平な箱形状）で、その内側フード１１が外側フード１０内に、その開口１２から取付けられ、この内側フード１１の外側面は外側フード１０で覆われ、下面の開口した部分がフード１の下開口部３で、この内側フード１１の上面に形成した開口部４ａと外側フード１０の上面に形成した開口部４ｂが連通してフード１の上開口部４を形成している。
つまり、調理時に発生した湯気、油分を含む空気等は内側フード１１で捕獲され、この内側フード１１の内部が本発明のフード１の内部である。
【００１８】
前記外側フード１０と収納体８の形状を図１、図２、図７に基づいて具体的に説明する。
前記外側フード１０は上面板１３と、この上面板１３の前端縁と連続した上下寸法の短かい上前面板１４と、上面板１３の後端縁と連続した上下寸法の長い背面板１５と、この背面板１５の下端縁と連続した前後寸法の短かい下面板１６と、この下面板１６の前端縁と連続し前記上前面板１４の下端部とほぼ同一高さで、かつ前後方向に離隔した下前面板１７と、これらの各板に亘って設けたほぼ鉤形状の左右の側面板１８を備え、下方が開口した上横空洞部１９ａと、この上横空洞部１９ａの後寄りと連続した縦空洞部１９ｂを有する。
そして、上横空洞部１９ａを形成する部分によって前記外側フード１０を形成し、縦空洞部１９ｂを形成する部分によって前記収納体８を形成している。
【００１９】
前記左右の側面板１８は、その下端縁に沿った幅狭い側縁前面板１８ａを備え、この側縁前面板１８ａは縦部と横部で鉤形状である。この実施の形態では側縁前面板１８ａは側面板１８と別体となっているが、一体であっても良い。
前記下前面板１７は、左右の側縁前面板１８ａにおける縦部と前述の下面板１６との間に着脱自在に取付けてある。前記下前面板１７は、左右の側面突出片１７ａと下突出片１７ｂを有し、前述の凹陥部９を形成している。
【００２０】
前記上前面板１４の下端縁と側縁前面板１８ａにおける横部（側面板１８の横部下端縁）、つまり外側フード１０の開口縁は、鉤形状に折曲して内側フード取付面１０ａを形成している。
【００２１】
前記内側フード１１の具体形状を説明する。
前記内側フード１１は上面板２０と前面板２１と後面板２２と左右の側面板２３で下面が開口したほぼ矩形箱形状で、その上面板２０に開口部４ａが形成され、その開口部４ａの周縁にダクト２４が固着してある。このダクト２４の上面は水平に対して前部が後部よりも低くなるように傾斜している。
そして、内側フード１１は開口１２から外側フード１０内に挿入され、そのダクト２４の上開口端面を上面板１３の開口部４ｂの周縁部下面に接し、前面板２１、側面板２３のフランジ２１ａ、２３ａを前記外側フード１０の内側フード取付面１０ａにビス止めするように取付けられ、内側フード１１の開口縁が水平に対して前部が高く、後部が低くなるように傾斜している。
前記上面板２０の下面にフィルター２５が取付けられ、このフィルター２５で前記開口部４ａを覆い、前述した空気等はフィルター２５を通して開口部４ａに流れるようにしてある。
【００２２】
この実施の形態では前記フード１（内側フード１１）の内部に水受けプレート２６が設けてあり、この水受けプレート２６は前向き位置のカバー体７よりも上方に位置し、かつ離隔している。図２では水受けプレート２６は洗浄液噴射部５よりも下方に位置しているが、上方に位置するようにしても良い。
このようであるから、洗浄液噴射部５から噴射され内側フード１１の上方内部から勢いよく落下した洗浄液が水受けプレート２６に衝突し、前向き位置のカバー体７に衝突することを避けることができるので、落下した洗浄液の衝突によって大きな衝突音が発生しない。しかも、水受けプレート２６に衝突した衝突音はカバー体７によって内側フード１１外部に伝播することが軽減される。よって洗浄中の騒音を低減できる。
【００２３】
前記水受けプレート２６は図２に示すように洗浄液噴射部５よりも下方に位置し、図４に示すように洗浄液噴射部５を覆うと共に、水受けプレート２６の外面と内側フード１１の内面との間に幅狭い吸込口２７を形成、つまり水受けプレート２６が整流板としての機能を有する。
例えば、図４に示すように内側フード１１と水受けプレート２６を矩形状とし、その内側フード１１のコ字状となった３つの内面と水受けプレート２６のコ字状となった３つの外面との間に幅狭い隙間をそれぞれ形成して３つの幅狭い吸込口２７をコ字形状として形成する。
【００２４】
このようにすれば、カバー体７を下向き位置としてレンジフードを稼動している時（つまり、調理中）に、吸込口２７からの吸込風速を高めることができ、調理時に発生した湯気、油分を含む空気等の捕獲効率を向上できる。
また、フード１を見上げた時に洗浄液噴射部５が水受けプレート２７で隠蔽されて見えないから、見栄えが良い。
【００２５】
前記水受けプレート２６の下側面２６ａには調理時に発生した湯気、油分を含む空気等が接して汚れることがあるが、前述のように水受けプレート２６は洗浄液噴射部５よりも下方位置であると、水受けプレート２６の下側面２６ａを洗浄液で十分に洗浄できない。
そこで、水受けプレート２６に洗浄液案内孔２８を形成し、洗浄液噴射部５から噴射された洗浄液の一部が洗浄液案内孔２８から水受けプレート２６の下側面２６ａに向けて流れるようにし、洗浄液で十分に洗浄できるようにしてある。
【００２６】
例えば、図５に示すように、洗浄液噴射部５にほぼ下向きの噴射口５ａを形成し、水受けプレート２６における噴射口５ａと対向した一部分を下側面２６ａに向けて打ち出し加工して下側面２６ａに向けて開口した洗浄液案内孔２８を形成する。
そして、前記噴射口５ａから点線の矢印で示すように洗浄液案内孔２８に向けて洗浄液が噴射され、その洗浄液が水受けプレート２６の下側面２６ａに向けて勢いよく流れるようにする。
図２において、水受けプレート２６は左側が高く右側が低くなるように水平に対して傾斜しているので、その左側の一端縁にのみ洗浄液案内孔２８を形成することで十分に洗浄できる。
【００２７】
前記水受けプレート２６は平坦面状の金属薄板を水平に設けても前述の効果を発揮するが、この水受けプレート２６は傾斜して設けても良いし、表面に凹凸を設けても良い。
また、水受けプレート８を密度の高い材料、例えば銅や鉛、ガラスを使用することで一層効果を発揮する。
【００２８】
前記送風装置２は、外側ケース３０内に送風機３１を設けたもので、その外側ケース３０をフード１（上面板１３）に取付けて前記上開口部４（開口部４ｂ）に連通した導風室３２を形成している。
この導風室３２に送風機３１の吸込口が連通し、その送風機３１の吐出口が図示しない排出ダクトに連通している。
【００２９】
前記洗浄液噴射部５は、内側フード１１の上方内部、側方内部に洗浄液を噴射する主噴射口５ｂと前述した噴射口５ａを有する。
例えば、図４、図５に示すように、ほぼコ字形状のパイプ４０に噴射口５ａと主噴射口５ｂを所定の方向に向けて複数形成し、そのパイプ４０をブラケット４１で内側フード１１の内部に取付けると共に、後面板２２よりも後方に突出してある。
このパイプ４０は水平に対して前部が高く後部が低くなるように傾斜している。
【００３０】
前記洗浄液供給部６は、タンク５０とポンプ５１と排水弁５２と給水弁５３を備え、そのポンプ５１の吸込部がタンク５０内に突出し、かつ吐出部が配管５４で前記パイプ４０に接続してある。
前記排水弁５２の入口がタンク５０内に連通し、出口が排水パイプ５５に接続してある。
前記タンク５０の上部と排水弁５２の出口側とに亘ってオーバーフロー用パイプ５６が接続してある。
このようであるから、ポンプ５１でタンク５０内の洗浄液をパイプ４０に圧送することで、噴射口５ａ、主噴射口５ｂから洗浄液が洗浄液案内孔２８、内側フード１１の内部に噴射される。
前記排水弁５２を開とすることでタンク５０内の洗浄液が排水パイプ５５から排水される。
また、給水弁５３を開とすることでタンク５０内には洗浄液が供給されるが、この際、設定した水位を越えた洗浄液はオーバーフロー用パイプ５６から排水弁５２の出口側、排水パイプ５５を通って排水されるので、タンク５０の上部からオーバーフローすることがない。
このタンク５０に洗浄液を供給するには、水道管に通水ホースを接続し、この通水ホースの出口側に給水弁５３を設け、その給水弁５３からタンク５０内に水道水を供給するようにする。なお、洗浄液は水道水に限ることはなく、任意の洗浄液を利用できる。例えば、洗浄剤を混入した洗浄液をタンク５０内に補給するようにしても良い。
【００３１】
前記カバー体７が図３に示すように前向き位置の時には、水平に対して前部が高く後部が低くなるように傾斜し、かつ後端部がタンク５０内に突出するようにしてある。
これによって、洗浄後の洗浄液がカバー体７に沿ってタンク５０までスムーズに流れる。
【００３２】
前記カバー体７は、基板６０の左右両側縁に側面立上り片６１、前端縁に前面立上り片６３をそれぞれ備え、各立上り片６１，６３が補強リブの役目を果たし、カバー体７自体の強度を増加している。
また、前記各立上り片６１，６３によってカバー体７が横向き位置の時に落下した洗浄液が左右にこぼれ落ちることなく後端部までスムーズに流れるようにしてある。
このように各立上り片６１，６３を設けても、この立上り片６１，６３が収納体８の凹陥部９内に収納されて前面から突出しないので、その立上り片６１，６３（端面部分）に油煙等が付着して汚れたり、裏面に回り込むこともない。
【００３３】
この実施の形態では、基板６０の後端縁に後面立上り片６２を備え、水受け凹部を有する。前記後面立上り片６２は庇片６２ａを有する断面ほぼＬ字形状で、かつ左右方向にほぼＶ字形状に折曲し、この後面立上り片６２と基板６０の後端縁寄り部分で洗浄液受け凹部６４を形成している。
前記カバー体７を図３に示すように横向き位置とした際に、その各立上り片が内側フード１１の開口縁（前面板２１、後面板２２、左右の側面板２３）よりも外側に位置する。つまり、内側フード１１の開口縁がカバー体７の水受け凹部内に入り込む。
【００３４】
このようであるから、内側フード１１の内部に噴射された洗浄液はカバー体７に流れ落ち、そのカバー体７から周囲に飛散することがない。
【００３５】
また、カバー体７を前向き位置とした時に、図８に示すように前面立上り片６３が内側フード１１のフランジ１２ａに設けたストッパ６５に当接して空気が流通する隙間を形成するようにしてある。
【００３６】
前記背面立上り片６２の左右中央部に排水用筒部６６が設けてあり、この排水用筒部６６はほぼくの字形状に折曲している。そして図２に示すようにカバー体７が下向き位置の時には排水用筒部６６がタンク５０よりも上方に位置し、図３に示すようにカバー体７が前向き位置の時には排水用筒部６６がタンク５０内に突出する。
このようであるから、カバー体７に流れ落ちた洗浄液は、排水用筒部６６からタンク５０内に確実に流れ込む。
また、カバー体７の左右方向全域に流れ落ちた洗浄液がカバー体７の後部寄りで左右中央部に集中して排水用筒部６６からタンク５０に流れ込むので、そのカバー体７の後部寄りの洗浄液の量が多くなるが、洗浄液受け凹部６４があるので、その洗浄液受け凹部６４に洗浄液が溜り、カバー体７からあふれ出ることがない。
【００３７】
前記カバー体７の後端部には水受け部材（水受けパック）６７が設けてあり、カバー体７が図２に示す下向き位置の時には水受けプレート２６に発生した結露水やフィルター２５から落下した結露水が水受け部材６７に流れ込んで溜る。
そして、カバー体７を図３に示す前向き位置とした時に、その水受け部材６７に溜った結露水がタンク５０内に排水される。
例えば、図９に示すように、内側フード１１の後面板２２には水受けプレート２６の後端縁と対向した受け片２２ａと、排水穴２２ｂが形成され、水受けプレート２６の結露水が受け片２２の上に落下し、排水穴２２ｂから水受け部材６７に流れ込む。
前記水受け部材６７の内部は排水穴６７ａで前記排水用筒部６６に連通し、カバー体７を図３に示すように下向き位置とした時に水受け部材６７の水が排水穴６７ａから排水用筒部６６に流出し、タンク５０内に排水される。
【００３８】
前記カバー体７の表面後端部（後面立上り片６２の庇片６２ａ部分）には化粧カバー６８が取付けてあり、カバー体７を図２に示すように下向き位置とした時に、カバー体７の後端部分と内側フード１１の後面板２２との間の隙間を閉塞して見栄えを良くしている。
【００３９】
前記カバー体７は手動で上下に回動しても良いが、モータで上下に回動しても良い。
例えば、図１と図１０に示すように、モータ７０で角軸７１を回転するようにし、カバー体７の背面上部寄りにフック部材７２を取付け、このフック部材７２を角軸７１に引掛けて連結する。そして、角軸７１が回転することでカバー体７が上下に回動するようにする。
このようにすることで、カバー体７を角軸７１に簡単に取付けできる。また、角軸７１とフック部材７２がしっかりと係合して相対的にスリップすることがなく、カバー体７を確実に上下に回動できる。
【００４０】
例えば、歯車ケース７３の表面にモータ７０を取付けると共に、その歯車ケース７３に角軸７１の軸方向一端寄りを回転自在に支承し、この角軸７１の軸方向一端部とモータ７０の出力軸を歯車ケース７３内に設けた歯車対で連結する。例えば角軸７１の一端部に従動歯車７４を固着し、モータ７０の出力軸に駆動歯車７５を固着して両方の歯車を噛合する。
前記角軸７１の軸方向他端部寄りをブラケット７６に回転自在に支承する。
前記歯車ケース７３とブラケット７６を図１に示すようにフード１を構成する左右の側面板１８の対向した内面にそれぞれ固着して角軸７１を左右方向に向けて回転自在に取付ける。
前記角軸７１は矩形断面で、前記フック部材７２はコ字形状で、そのフック部材７２が角軸７１の３つの面に接触して引掛けることで取付け、ビス７７を螺合して固着する。
【００４１】
前記水受けプレート２６はパイプ４０の下面に接するように取付けられ、その後端寄り部分２６ｂが下向きに傾斜してパイプ４０と離れている。
例えば、前記パイプ４０を取付けるブラケット４１に水受けプレート２６をビス止めする。
前記水受けプレート２６の後端寄り部分２６ｂが前述の受け片２２ａと対向する。
【図面の簡単な説明】
【００４２】
【図１】カバー体を開き位置とした状態のレンジフードの前面図である。
【図２】カバー体を開き位置とした状態のレンジフードの一部破断側面図である。
【図３】カバー体を閉じ位置とした状態のレンジフードの一部破断側面図である。
【図４】カバー体を閉じ位置とした状態のレンジフードの底面図である。
【図５】図２のＡ部拡大図である。
【図６】カバー体を閉じ位置と開き位置の中間位置とした状態のレンジフードの斜視図である。
【図７】外側フードの斜視図である。
【図８】図３のＢ部拡大図である。
【図９】図２のＣ部拡大図である。
【図１０】カバー体と、その駆動部の分解斜視図である。
【符号の説明】
【００４３】
１…フード、１ａ…外側フード、１ｂ…内側フード、２…送風装置、３…下開口部、４…上開口部、５…洗浄液噴射部、５ａ…噴射口、５ｂ…主噴射口、６…洗浄液供給部、７…カバー体、８…収納体、９…凹陥部。
【図１】
2005221114.tif 000003
【図２】
2005221114.tif 000004
【図３】
2005221114.tif 000005
【図４】
2005221114.tif 000006
【図５】
2005221114.tif 000007
【図６】
2005221114.tif 000008
【図７】
2005221114.tif 000009
【図８】
2005221114.tif 000010
【図９】
2005221114.tif 000011
【図１０】
2005221114.tif 000012